(57)【要約】      （修正有）【課題】指圧効果を有し、家庭で洗えて乾きも早く清潔に使える腰痛対策敷き布団を提供する。【解決手段】水洗い可能な特徴を持つ凸凹形状の立体構造体と水洗い可能な網状で高反発を特徴とする立体構造物を重ねて中材とし、その上下を水洗い可能なわた入りのパット状の物で挟んだ積層体である。【選択図】図１
0003175182.tif 000002
【実用新案登録請求の範囲】
【請求項１】
腰痛対策敷き布団において、上部芯材として水洗い可能な凸凹形状の立体構造体とその下に下部芯材として水洗い可能な網状で高反発立体構造物を重ねて構成した中材と、中材の上下を水洗い可能なわた入りのパット状の物で挟んだ積層体であって、水洗い出来ることを特徴とする腰痛対策敷き布団。
【請求項２】
上部芯材にポリオレフィン系樹脂発泡体で両面もしくは片面に凸凹の形状を持ち厚さ１０ｍｍ〜５０ｍｍの物を使った請求項１に記載の水洗い出来ることを特徴とする腰痛対策敷き布団。
【請求項３】
下部芯材に高反発で厚さ２０ｍｍ〜５０ｍｍの熱可塑性樹脂を使った請求項１に記載の水洗い出来ることを特徴とする腰痛対策敷き布団。
【考案の詳細な説明】
【技術分野】
【０００１】  本考案は、水洗い可能な特徴を持った腰痛対策敷き布団に関するものである。
【背景技術】
【０００２】  腰痛対策敷き布団として、凸凹形状の立体構造体中材を使い指圧効果及び血流を促す効果を有すると言われる敷き布団が多種にわたり販売されている。しかし、その中材がウレタン素材を使ったものばかりで布団丸洗い専門業者と言えども水洗いする事が出来ない。これは、ウレタン素材が水を含むと完全に乾かす事が出来ないためである。【０００３】  昨今、ダニアレルギーの方が増加している中、洗えない敷き布団はダニアレルゲン（死骸や糞）が蓄積され悪影響を及ぼす。
従って、ウレタン素材でない立体構造体の中材を使った水洗い出来る腰痛対策敷き布団の開発は望まれている所である。【０００４】  これに対し、薬剤を使って防ダニ加工を施し、洗えなくてもダニが付き難い敷き布団として販売しているのが現状である。【０００５】  この場合、防ダニ加工を施していても完全にダニを排除できる訳でもなく、その加工効果の持続性も時間の経過で減退するため、ダニアレルゲンが蓄積されることを回避できない。【０００６】  特開２０１０−０２２７９６公報に、ポリ塩化ビニールの波板を中芯とし上面側に上部のみ凸凹の板状の高反発ウレタンを設け、下面側に板状の高反発ウレタンを設けた三層中芯波板を特徴とする腰部が沈まなくて寝返りが打ちやすく快適な寝心地が得られる敷き布団が提案されている。（特許文献１参照）
【先行技術文献】
【特許文献】
【０００７】
【特許文献１】特開２０１０−０２２７９６号公報
【考案の概要】
【考案が解決しようとする課題】
【０００８】  特許文献１では、指圧効果は期待できるものの水洗いは出来ない。【０００９】  そこで、本考案の目的は、上部芯材に水洗い可能な特徴を持つ凸凹形状の立体構造体を使い、下部芯材に水洗い可能な網状で高反発を特徴とする立体構造物を重ね、指圧効果で血流を良くすると言われる機能と適度なクッション性を持つ、洗える腰痛対策敷き布団を作る事である。
【課題を解決するための手段】
【００１０】  上部芯材に１０ｍｍ〜５０ｍｍ厚の凸凹形状の立体構造体を用い、下部芯材に２０ｍｍ〜５０ｍｍ厚の網状で高反発を特徴とする立体構造物を用いて、上部芯材と下部芯材を重ねて使う。【００１１】  この２つの芯材を中材とし、側生地（がわきじ）１の中に洗えるわた素材２（ポリエステル、綿、または、それらの混ぜ合わせ）を入れて構成したパット状の物３で上下を挟み敷き布団を作る。【００１２】  上部芯材は、ポリオレフィン系樹脂発泡体で表裏面の少なくとも一面の全面に、山形、波形等の任意パターンの凸凹状のマットパターンを成形したボードで、厚さ１０ｍｍ〜５０ｍｍの曲げられる物を使う。【００１３】  下部芯材は、熱可塑性樹脂を主成分とする複数の連続線条が、ランダムなループをなして相互に交差し、それぞれの交差点及び接点の少なくとも一部で接合されてなる線条体で、弾性率が３０〜４０００ＭＰａ、破断伸度が２００〜６００％、３００％伸張回復率が２０％以上の特性で、厚さを２０ｍｍ〜５０ｍｍの曲げられる物を使う。【００１４】  側生地は、天然繊維、化学繊維、または両者の混紡繊維を使った生地であって、水洗いに強く、吸湿・発散性に優れた織物を使う。【００１５】  側生地の中のわた素材は、水洗い可能で保温性があることを特徴とするものを使う。【００１６】  凸凹形状の上部芯材の下に網状で高反発を特徴とする下部芯材を重ねることにより、身体が凸部分に当たる負荷を適度に緩和させ体圧バランスに優れた機能を持たせる。【００１７】  製作にかかる全部の素材が洗える素材であるため、水洗いが出来る腰痛対策敷き布団になる。
【考案の効果】
【００１８】  ウレタン素材を一切使わず洗える素材だけの構造なので水洗いが可能となり清潔さを保つことが出来る。【００１９】  凸凹形状の上部芯材の下に網状で高反発を特徴とする下部芯材を採用することにより、体圧バランスに優れた敷き布団となる。【００２０】  凸凹部分により適度な指圧効果で血流が良くなると言われる機能が得られることにより腰痛対策が期待できる。【００２１】  且つ、水洗いが出来ることからダニアレルゲン（死骸やフン）を洗い流せ清潔に使える。【００２２】  曲げられる素材の為、収納や持ち運びも便利である。
【図面の簡単な説明】
【００２３】
【図１】構造図〔断面斜視図〕
【図２】上部芯材〔Ａ：断面図  Ｂ：平面図〕
【図３】下部芯材〔Ａ：断面図  Ｂ：平面図  Ｃ：繊維構造の模式図〕
【考案を実施するための形態】
【００２４】  以下添付図面に基づいて、本考案に係る凸凹形状の上部芯材と網状で高反発を特徴とする下部芯材を重ね、それらを中材とした敷き布団について説明する。
【００２５】  図１は、図２の上部芯材５の下に図３の下部芯材６を重ね、その上下を側生地（がわきじ）１の中に洗えるわた素材２（ポリエステル、綿、または、それらの混ぜ合わせ）を入れて構成したパット状の物３で上下を挟み、周囲をヘム加工７で合わせた敷き布団である。
【００２６】  図２は、水洗い可能な特徴を持つ凸凹形状の立体構造体で指圧効果及び血流を促すと言われる機能を有する上部芯材の断面図と平面図である。
【００２７】  図３は、水洗い可能な網状で高反発を特徴とする立体構造物で体圧バランスに優れたクッション性を有する下部芯材の断面図と平面図及び繊維構造の模式図である。
【００２８】  本考案では、表１に示すように３つの条件で実施してみた。
尚、側生地は３例とも綿１００％の物を使った。
【表１】
0003175182.tif 000003
0003175182.tif 000004
【００２９】以下、その詳細について説明する。
【実施例１】  本実施例では、上部芯材５の凸凹形状の立体構造体にポリオレフィン系樹脂発泡体で凸部分高さ２５ｍｍ、凹の高さ５ｍｍの物を使い、その下に下部芯材６の網目状に組み上げられた立体構造物で４０ｍｍ厚の物を重ねて使った。【００３０】それらを上下から挟む２枚のパット状の物３は、それぞれ１００×２１０ｃｍサイズの側生地１に５００グラムのポリエステル１００％わた２を入れてキルトミシン４をかけた物を使った。【００３１】  これらの物を使って図１に示すように、パット状の物３の周囲にヘム加工７でヘム加工縫い目８のように縫いつけて敷き布団を作った。【００３２】  これにより完成した敷き布団は、凸凹形状が身体に適度な指圧効果があり、特に腰部分が心地よく、凸凹感で身体に痛みを感じることも無く腰が伸びるような快適さを体感できた。さらに、水洗いしても水が切れてから干すと完全に乾いた。
【実施例２】
【００３３】  本実施例では、上部芯材５の凸凹形状の立体構造体に凸部分高さ２５ｍｍ、凹の高さ５ｍｍの物を使い、下部芯材６の網目状に組み上げられた立体構造物は、実施例１より薄い２０ｍｍ厚の物を重ねて使った。【００３４】  それらを上下から挟む２枚のパット状の物３は、それぞれ１００×２１０ｃｍサイズの側生地１に実施例１より少し多めに、綿５０％・ポリエステル５０％の混合わた２を８００グラム入れた物を使った。【００３５】  これらの物を使って図１と同じ構造の敷き布団を作った。【００３６】  これにより完成した敷き布団は、実施例１と同じように凸凹形状が身体に適度な指圧効果があり、特に腰部分が心地よく、凸凹感で身体に痛みを感じることも無く腰が伸びるような快適さを体感できた。水洗いに関しては実施例１より少し時間がかかったが完全に乾いた。
【実施例３】
【００３７】  本実施例では、上部芯材５の凸凹形状の立体構造体に実施例１、実施例２より厚い凸部分高さ３５ｍｍ、凹の高さ１０ｍｍの物を使い、下部芯材６には実施例１と同じ厚みの網目状に組み上げられた立体構造物４０ｍｍ厚の物を重ねて使った。【００３８】  それらを上下から挟む２枚のパット状の物３は、実施例１と同じ物で、それぞれ１００×２１０ｃｍサイズの側生地１に５００グラムのポリエステル１００％わた２を入れてキルトミシン縫い４を掛けた物を使った。【００３９】  これらの物を使って図１と同じ構造の敷き布団を作った。【００４０】  これにより完成した敷き布団は、実施例１と比較すれば凸凹形状が身体に当たる感覚が若干強めの指圧効果となったが、ボリュームがあり硬めの敷き布団が好みであれば程良く、腰部分が心地よく、凸凹感で身体に痛みを感じることも無く腰が伸びるような快適さを体感できた。さらに、水洗いしても水が切れてから干すと完全に乾いた。
【符号の説明】
【００４１】  １・・・布団側生地
２・・・中わた
３・・・パット状の物
４・・・キルトミシン縫い
５・・・水洗い可能な特徴を持つ凸凹形状の立体構造体の上部芯材
６・・・水洗い可能な網状で高反発を特徴とする立体構造物の下部芯材
７・・・ヘム
８・・・ヘム加工縫い目
【図１】
0003175182.tif 000005
【図２】
0003175182.tif 000006
【図３】
0003175182.tif 000007